(57)【要約】【課題】乳幼児が高熱を出し、急速に体温を下げる必要が生じたときに、リンパ腺の部分を冷却材によって確実に冷やし、迅速に体温を下げることができるようにする。【解決手段】乳幼児の下着１における着用者のリンパ腺の部分を冷却するに適した位置に、氷や保冷剤等の冷却材３を収容する袋状冷却材収容部２，２を備える。【選択図】図１
2005281945.tif 000002
【特許請求の範囲】
【請求項１】
上半身用又は下半身用下着であって、着用者のリンパ腺の部分を冷却するに適した位置に、氷や保冷剤等の冷却材を収容する袋状冷却材収容部を備えたことを特徴とする乳幼児用下着。
【請求項２】
袋状冷却材収容部が、外部への水分のしみ出しを防ぐために防水性を附与した袋状冷却材収容部である請求項１記載の乳幼児用下着。
【請求項３】
袋状冷却材収容部が、開口部にチャックを設けた袋状冷却材収容部である請求項１又は２記載の乳幼児用下着。
【請求項４】
袋状冷却材収容部を、下着と別体に製作し、該袋状冷却材収容部を適宜の手段をもって下着の所定位置に固定するようになした請求項１、２又は３記載の乳幼児用下着。
【発明の詳細な説明】
【技術分野】
【０００１】  本発明は、特に乳幼児が高熱を出し、急速に体温を下げる必要が生じたときに素早く対応することができるようになした乳幼児用下着に関するものである。
【背景技術】
【０００２】  乳幼児が高熱を出すと、熱性痙攣その他の重篤な様々な症状をひき起こし、成人に比べて生命の危険性や脳障害等の大きな後遺症を残すことが多い。このため高熱が出たときには一刻も早く体温を下げる必要がある。【０００３】  そしてまた、体温を下げるためには、解熱剤の服用と併せて一般的に氷枕や水枕を用い、これを頭部や首筋に当てて冷やすことも行われているが、迅速に下げる上で最も効率が良いのはリンパ腺の部分を冷やすことである。【０００４】  ところで、リンパ腺は腋の下と股の付根の部分にある。そしてこれらの部分に氷枕等をあてがうには、特に乳幼児の場合には大きすぎて使うことができない。このため、例えば缶入りの清涼飲料を冷やしたり、氷をビニール袋に入れ、これらをタオルに巻いてリンパ腺の部分にあてがう等して手当てを施しているが、固定が不充分であることから、動いたりすると肌への密着度が悪くなり、充分な効果をあげることができない。また、看護者は常に手で冷却材を押さえつけていなければならず、看護をする上で必要なその他の対応をすることができない。
【発明の開示】
【発明が解決しようとする課題】
【０００５】  本発明は上記の点に鑑みなされたものであって、下着の所要の部分に冷却材を保持することができるようになし、乳幼児が高熱を出したときには、その腋の下と股の付根のリンパ腺の部分を冷却材によって確実に冷やし、もって体温を迅速に下げることができるようになし、併せて看護者の冷却以外の看護をする上で必要なその他の対応を可能となした乳幼児用下着を提供せんとするものである。
【課題を解決するための手段】
【０００６】  而して、本発明の要旨とするところは、上半身用又は下半身用下着であって、着用者のリンパ腺の部分を冷却するに適した位置に、氷や保冷剤等の冷却材を収容する袋状冷却材収容部を備えたことを特徴とする乳幼児用下着にある。【０００７】  また、上記構成において、袋状冷却材収容部としては、外部への水分のしみ出しを防ぐために防水性を附与したものであることが望ましい。そしてまた、防水性を附与する手段としては、素材として防水布を用いたり、或いは布地の内側に樹脂の防水シートを張る等の適宜の手段を採用可能である。斯かる場合には、使用中に冷却材から出る水分が外部にしみ出さず、下着やシーツ、布団等が水に濡れることを防ぐことができる。【０００８】  また、上記構成において、袋状冷却材収容部としては、開口部にチャックを設けたものであることが望ましい。斯かる場合には、チャックで開口部を確実に封止することができるから、中に入っている冷却材の飛び出しを確実に防ぐことができると共に、上記の如く袋状冷却材収容部として防水性を附与したものである場合には、より一層防水性が高まるものである。【０００９】  また、袋状冷却材収容部を、下着と別体に製作し、該袋状冷却材収容部を適宜の手段をもって下着の所定位置に固定するようになしてもよい。斯かる場合には、下着に予め一体化している場合よりも冷却材の出し入れが容易であり、スピーディーに冷却処置を施すことができる。また、発熱していない普段の状態にあっては、袋状冷却材収容部を下着から外しておくことにより、違和感なく普通の下着として着用することができる。
【発明の効果】
【００１０】  本発明は上記の如き構成であるから、特に乳幼児が高熱を出し、急速に体温を下げる必要が生じたときに素早く対応することができるものである。そしてまた、下着の所要の部分に冷却材を保持することができるようになし、着用者の腋の下と股の付根のリンパ腺の部分を冷却材によって確実に冷やすことができるようになしたから、体温を確実且つ迅速に下げることができるものである。加えて、看護者は冷却材を手で押さえつけている必要がないから、看護をする上で必要なその他の対応をすることが可能となるものである。【００１１】  また、袋状冷却材収容部として、外部への水分のしみ出しを防ぐために防水性を附与したものである場合には、使用中に冷却材から出る水分が外部にしみ出さず、下着やシーツ、布団等が水に濡れることを防ぐことができる。【００１２】  また、袋状冷却材収容部として、開口部にチャックを設けたものである場合には、チャックで開口部を確実に封止することができるから、中に入っている冷却材の飛び出しを確実に防ぐことができると共に、上記の如く袋状冷却材収容部として防水性を附与したものである場合には、より一層防水性が高まるものである。【００１３】  また、袋状冷却材収容部を、下着と別体に製作し、該袋状冷却材収容部を適宜の手段をもって下着の所定位置に固定するようになした場合には、下着に予め一体化している場合よりも冷却材の出し入れが容易であり、スピーディーに冷却処置を施すことができる。また、発熱していない普段の状態にあっては、袋状冷却材収容部を下着から外しておくことにより、違和感なく普通の下着として着用することができるものである。
【発明を実施するための最良の形態】
【００１４】  本発明を実施するための最良の形態は、上半身用又は下半身用下着であって、着用者のリンパ腺の部分を冷却するに適した位置に、氷や保冷剤等の冷却材を収容する袋状冷却材収容部を備えたことにある。
【実施例１】
【００１５】  以下，本発明の実施例について説明する。
図１は本発明の実施例１の一部切欠して示した斜視図、図２は図１中Ａ部分の上部側から看た拡大断面図である。【００１６】  図中、１は乳幼児用の上半身用下着である。また、該上半身用下着１には、着用者のリンパ腺の部分を冷却するに適した位置、具体的には腋の下の部分に、氷や保冷剤等の冷却材を収容する袋状冷却材収容部２，２を備えている。また、３は冷却材であり、図示した例においては氷をビニール袋に封入したものを示している。尚、冷却材３としてはこれに限らず、保冷剤、蓄冷剤その他適宜のものを採用可能である。【００１７】  また、該袋状冷却材収容部２，２は、本実施例においては上半身用下着１の腋の下の部分に該袋状冷却材収容部２，２が収まるように切欠き１ａを設け、該切欠き１ａに該袋状冷却材収容部２，２を収めて周縁部を縫着した場合を示しているが、上半身用下着１の腋の下の部分に上半身用下着１と重ねて縫着するようにしてもよい。【００１８】  また、該袋状冷却材収容部２，２は、本実施例においては外部への水分のしみ出しを防ぐために防水性を附与している。即ち、該袋状冷却材収容部２，２は、上半身用下着１と同じか或いは異なる素材の布地２ａ，２ａの内側に樹脂の防水シート２ｂを張って防水性を持たせている。尚、このようにすることなく、図示はしないが防水布を用いるようにしてもよく、その他適宜の手段を採用可能である。【００１９】  また、該袋状冷却材収容部２，２は、本実施例においては開口部にチャック４を設けている。冷却材３を入れたり出したりするときには開口部を開き、そして冷却材３を入れたときには該チャック４を締めて開口部を封止するものである。尚、チャック４としては図示した例に限定されない。【００２０】  次に、本実施例の作用について説明する。
乳幼児が高熱を出したときには、袋状冷却材収容部２，２内に適宜の冷却材３を入れるものである。これにより冷却材３は着用者のリンパ腺の部分を冷却する位置に確実に保持され、着用者が動いたとしてもずれたりしないものである。したがって、確実且つ迅速に体温を下げることができるものである。また、袋状冷却材収容部２，２は防水性が附与されているから、使用中に冷却材３から出る水分が外部にしみ出さず、下着やシーツ、布団等が水に濡れることを防ぐことができるものである。また、袋状冷却材収容部２，２は、その開口部にチャック４を設けているから、該チャック４で開口部を確実に封止することができ、もって中に入っている冷却材３の飛び出しを確実に防ぐことができると共に、該袋状冷却材収容部２，２が防水性を附与したものである場合には、より一層防水性が高まるものである。
【実施例２】
【００２１】  次に、図３に示した本発明の実施例２について説明する。
５は乳幼児用の下半身用下着である。また、該下半身用下着５には、着用者のリンパ腺の部分を冷却するに適した位置、具体的には股の付根の部分に、氷や保冷剤等の冷却材を収容する袋状冷却材収容部６，６を備えている。また、７，７は該袋状冷却材収容部６，６の開口部に設けたチャックである。また、該袋状冷却材収容部６，６の下半身用下着５の所定位置への縫着による取り付け、該袋状冷却材収容部６，６に防水性を附与したことについては、前記実施例１と同様であるから詳細な説明は省略する。
【実施例３】
【００２２】  次に、図４に示した本発明の実施例３について説明する。
本実施例は、袋状冷却材収容部を、下着と別体に製作し、該袋状冷却材収容部を適宜の手段をもって下着の所定位置に固定するようになした場合の例である。具体的には、袋状冷却材収容部９，９を乳幼児用の上半身用下着８とは別体に製作し、該袋状冷却材収容部９，９を、面ファスナー１０，１０等を用いて乳幼児用の上半身用下着８における着用者のリンパ腺の部分を冷却するに適した位置、即ち腋の下の部分に固定するものである。また、固定手段としては、図示した例に限らず、ホックを用いたり、粘着テープを用いる等、その他の適宜の手段を採用可能である。【００２３】  而して、本実施例よると、下着に予め一体化している場合よりも冷却材の出し入れが容易であり、スピーディーに冷却処置を施すことができる。また、発熱していない普段の状態にあっては、袋状冷却材収容部を下着から外しておくことにより、違和感なく普通の下着として着用することができるものである。【００２４】  また、図示はしないが、乳幼児用の下半身用下着についても本実施例と同様の構成としても良いものであるが、ここではその説明を省略する。
【図面の簡単な説明】
【００２５】
【図１】本発明の実施例１の一部切欠して示した斜視図である。
【図２】図１中Ａ部分の上部側から看た拡大断面図である。
【図３】本発明の実施例２の斜視図である。
【図４】本発明の実施例３の要部拡大斜視図である。
【符号の説明】
【００２６】１  乳幼児用の上半身用下着
２，２  袋状冷却材収容部
３  冷却材
４  チャック
５  乳幼児用の下半身用下着
６，６  袋状冷却材収容部
７  チャック
８  乳幼児用の下半身用下着
９，９  袋状冷却材収容部
１０，１０  面ファスナー
【図１】
2005281945.tif 000003
【図２】
2005281945.tif 000004
【図３】
2005281945.tif 000005
【図４】
2005281945.tif 000006